(57)【要約】【課題】  複写機・ファクシミリ・プリンタ等の電子機器などの被包装品を包装する包装箱にあって、部品点数が増加して包装箱のコストアップを招くことなく、組み立て作業性を向上する。【解決手段】  上外フラップ３１、３３の先端縁に、先端を曲げたＬ字状の切り起こし部４０を２つずつ、上内フラップ３２、３４の先端縁に、矩形状の切り欠き部４１を１つずつ形成する。そして、組み立て時、上内フラップを内側に折り曲げてから、上外フラップを内側に折り曲げて上内フラップに上外フラップを重ね合せて後、切り起こし部４０の先端を切り欠き部４１にそれぞれ掛け止め、上内フラップに上外フラップを仮固定する。続いて、突き合わせた一対の上外フラップの先端縁間を被うように、粘着テープを貼り付ける。【選択図】        図５
2005200082.tif 000002
【特許請求の範囲】
【請求項１】
両側に内外フラップを設ける一枚のシート材を折り曲げて、前記内フラップに前記外フラップを重ね合わせ、突き合わせた一対の前記外フラップの先端縁間にその先端縁間を被って粘着テープを貼り付けて組み立てる包装箱において、
前記内外フラップの一方に切り起こし部を、他方にその切り起こし部を掛け止める切り欠き部を形成することを特徴とする、包装箱。
【請求項２】
前記内外フラップの一方の先端縁に前記切り起こし部を、他方の先端縁に前記切り欠き部を形成することを特徴とする、請求項１に記載の包装箱。
【請求項３】
前記内外フラップの一方の先端縁に前記切り起こし部を２つずつ、他方の先端縁に前記切り欠き部を１つずつ形成することを特徴とする、請求項２に記載の包装箱。
【請求項４】
前記切り起こし部を、先端を曲げたＬ字状に形成し、その切り起こし部の先端を、前記切り欠き部に掛け止めることを特徴とする、請求項１ないし３のいずれか１に記載の包装箱。
【請求項５】
前記粘着テープを、前記切り起こし部および前記切り欠き部を被うように貼り付けることを特徴とする、請求項１ないし４のいずれか１に記載の包装箱。
【発明の詳細な説明】
【技術分野】
【０００１】
この発明は、段ボール・硬質紙などのシート材を折り曲げて形成し、例えば、複写機・ファクシミリ・プリンタ等の電子機器などの被包装品を包装する包装箱に関する。
【背景技術】
【０００２】
従来、この種の包装箱には、例えば段ボールを折り曲げて形成する、図９に示すようなものがあった。図示する包装箱１は、上面および下面のそれぞれの２つの内フラップ２ａ、２ｂのうち、一方の内フラップ２ａのほぼ中央に、表面に保護シート３ａを有する例えば両面テープなどの粘着材３を設けていた。
【０００３】
そして、組み立て時、２つの内フラップ２ａ、２ｂを内側にそれぞれ折り曲げて後、保護シート３ａを剥がしてから、２つの外フラップ４ａ、４ｂを内側にそれぞれ折り曲げて、内フラップ２ａ、２ｂに外フラップ４ａ、４ｂを重ね合わせ、粘着材３によって、内フラップ２ａに外フラップ４ａ、４ｂを仮固定し、段ボールの元に戻ろうとする弾性力により外フラップ４ａ、４ｂが開くことを防止する。
【０００４】
そのように粘着材３によって外フラップ４ａ、４ｂが開くことを防止し、手で外フラップ４ａ、４ｂを押えることを不要として、組み立て時の作業性を向上しつつ、突き合わせた両外フラップ４ａ、４ｂの先端縁間にその先端縁間を被う不図示の粘着テープを貼り付け、包装箱１を組み立てていた。
【特許文献１】特開２０００−１２８１４７号公報
【発明の開示】
【発明が解決しようとする課題】
【０００５】
しかし、そのような包装箱は、保護シート３ａを有する粘着材３を備えるので、包装箱がコストアップとなる問題があった。
【０００６】
そこで、この発明の第１の目的は、包装箱にあって、部品点数が増加して包装箱のコストアップを招くことなく、組み立て作業性を向上することにある。
【０００７】
この発明の第２の目的は、包装箱にあって組み立て作業性を一層向上することにある。
【０００８】
この発明の第３の目的は、包装箱にあって、最小限の加工で組み立ての安定性を高めることにある。
【０００９】
この発明の第４の目的は、包装箱にあって、組み立て作業性をより一層向上することにある。
【００１０】
この発明の第５の目的は、包装箱にあって、包装密閉性を損なわないようにすることにある。
【課題を解決するための手段】
【００１１】
そのため、請求項１に記載の発明は、上述した第１の目的を達成すべく、
両側に内外フラップを設ける一枚のシート材を折り曲げて、内フラップに外フラップを重ね合わせ、突き合わせた一対の外フラップの先端縁間にその先端縁間を被って粘着テープを貼り付けて組み立てる包装箱において、
内外フラップの一方に切り起こし部を、他方にその切り起こし部を掛け止める切り欠き部を形成することを特徴とする。
【００１２】
請求項２に記載の発明は、上述した第２の目的も達成すべく、
請求項１に記載の包装箱において、
内外フラップの一方の先端縁に切り起こし部を、他方の先端縁に切り欠き部を形成することを特徴とする。
【００１３】
請求項３に記載の発明は、上述した第３の目的も達成すべく、
請求項２に記載の包装箱において、
内外フラップの一方の先端縁に切り起こし部を２つずつ、他方の先端縁に切り欠き部を１つずつ形成することを特徴とする。
【００１４】
請求項４に記載の発明は、上述した第４の目的も達成すべく、
請求項１ないし３のいずれか１に記載の包装箱において、
切り起こし部を、先端を曲げたＬ字状に形成し、その切り起こし部の先端を切り欠き部に掛け止めることを特徴とする。
【００１５】
請求項５に記載の発明は、上述した第５の目的も達成すべく、
請求項１ないし４のいずれか１に記載の包装箱において、
粘着テープを、切り起こし部および切り欠き部を被うように貼り付けることを特徴とする。
【発明の効果】
【００１６】
請求項１に係る発明によれば、包装箱にあって、内外フラップの一方に切り起こし部を、他方にその切り起こし部を掛け止める切り欠き部を形成するので、内フラップに外フラップを重ね合せるとき、切り起こし部を切り欠き部に掛け止め、それにより内外フラップを仮固定することができるから、従来の包装箱が備える、保護シートを有する粘着材を不要とすることができ、部品点数が増加することなく、粘着材の貼り付け作業を不必要として、包装箱のコストアップを招くことなく、組み立て作業性を向上することができる。
【００１７】
加えて、そのように粘着材を不要とすることができるので、包装箱の廃棄時、従来の包装箱に比し、シート材を再利用するために粘着材を剥がすことを不要にできるから、廃棄時の作業性を向上することができる。
【００１８】
請求項２に係る発明によれば、包装箱にあって、内外フラップの一方の先端縁に切り起こし部を、他方の先端縁に切り欠き部を形成するので、切り起こし部または切り欠き部によってできる開口を、外フラップの先端縁に集めて形成することができるから、組み立て作業性を一層向上することができる。
【００１９】
請求項３に係る発明によれば、包装箱にあって、内外フラップの一方の先端縁に切り起こし部を２つずつ、他方の先端縁に切り欠き部を１つずつ形成するので、２つの切り起こし部を切り欠き部にそれぞれ掛け止めることによって、確実に内外フラップを仮固定することができるから、最小限の加工で組み立ての安定性を高めることができる。
【００２０】
請求項４に係る発明によれば、包装箱にあって、切り起こし部を、先端を曲げたＬ字状に形成し、その切り起こし部の先端を切り欠き部に掛け止めるので、切り起こし部を切り欠き部に容易に掛け止めることができるようにして、組み立て作業性をより一層向上することができる。
【００２１】
請求項５に係る発明によれば、包装箱にあって、粘着テープを、切り起こし部および切り欠き部を被うように貼り付けるので、外フラップの切り欠き部または切り起こし部によってできる開口を粘着テープにより塞ぐことができるから、包装密閉性を損なわないようにすることができる。
【発明を実施するための最良の形態】
【００２２】
以下、図面を参照しつつ、この発明の実施の最良形態について説明する。
図１には、この発明による包装箱を形成するシート材の展開図を示す。そのシート材には、例えば段ボール、硬質紙などを用い、１枚のシート材を後述するように折り曲げて包装箱を組み立てる。
【００２３】
図中符号１０は、包装箱の側面を構成する部分である。その側面を構成する部分１０の両側には、後述する内外フラップを構成する部分である、下面を構成する部分２０と、上面を構成する部分３０とをそれぞれ設ける。
【００２４】
そして、側面を構成する部分１０と下面を構成する部分２０との間の折曲線Ｌ１位置、および側面を構成する部分１０と上面を構成する部分３０との間の折曲線Ｌ２位置でそれぞれ折り曲げ可能とする。
【００２５】
側面を構成する部分１０は、連続して設ける第１長手側面１１、第１短手側面１２、第２長手側面１３、第２短手側面１４によって構成する。また、第１長手側面１１の横には、つま１５を設ける。そして、つま１５、第１長手側面１１、第１短手側面１２、第２長手側面１３、第２短手側面１４のそれぞれの間の折曲線Ｌ３位置で折り曲げ可能とする。
【００２６】
下面を構成する部分２０は、各側面１１、１２、１３、１４に対応して設ける下第１外フラップ２１、下第１内フラップ２２、下第２外フラップ２３、下第２内フラップ２４によって構成する。そして、それら下第１外フラップ２１、下第１内フラップ２２、下第２外フラップ２３、下第２内フラップ２４のそれぞれの間には、切り込みＣを入れる。
【００２７】
上面を構成する部分３０は、各側面１１、１２、１３、１４に対応して設ける上第１外フラップ３１、上第１内フラップ３２、上第２外フラップ３３、上第２内フラップ３４によって構成する。そして、それら上第１外フラップ３１、上第１内フラップ３２、上第２外フラップ３３、上第２内フラップ３４のそれぞれの間には、切り込みＣを入れる。
【００２８】
そして、例えば外フラップ２１、２３、３１、３３に切り起こし部４０をそれぞれ形成する一方、内フラップ２２、２４、３２、３４に、切り起こし部４０を掛け止める切り欠き部４１をそれぞれ形成する。
【００２９】
図示例では、切り起こし部４０を、外フラップ２１、２３、３１、３３の先端縁にそれぞれ２つずつ形成する一方、切り欠き部４１を、内フラップ２２、２４、３２、３４の先端縁にそれぞれ１つずつ形成する。
【００３０】
さて、いま、そのようなシート材を折り曲げて、包装箱を組み立てるには、先ず、側面を構成する部分１０の４個所の折曲線Ｌ３位置でシート材をそれぞれ折り曲げてから、つま１５を第２短手側面１４に貼り付けて、シート材を四角形の筒状にする。
【００３１】
次に、２つの下内フラップ２２、２４を折曲線Ｌ１位置で内側に折り曲げて後、２つの下外フラップ２１、２３を折曲線Ｌ１位置で内側に折り曲げて、下内フラップ２２、２４に下外フラップ２１、２３を重ね合せる。
【００３２】
続いて、図２に示すように、例えば下第１外フラップ２１に形成した切り起こし部４０を、下第２内フラップ２４に形成した切り欠き部４１に掛け止める。
【００３３】
図示するように、下第２内フラップ２４などに形成する切り欠き部４１は、例えば矩形状とする一方、下第１外フラップ２１などに形成する個々の切り起こし部４０には、例えば２つの切り込みＣ１をそれぞれ設け、折曲線Ｌ４位置で折り曲げ可能とし、その折曲線Ｌ４位置で折り曲げると、図３および図４に示すように、Ｌ字状に形成した切り起こし部４０の突出する曲げた先端が、下第２内フラップ２４などの切り欠き部４１に掛け止まることによって、下第２内フラップ２４に下第１外フラップ２１を仮固定し、段ボールの元に戻ろうとする弾性力により、下第１外フラップ２１が開くことを防止する。
【００３４】
続いて、同様に、図１に示す下第１外フラップ２１の残りの１つの切り起こし部４０を、下第１内フラップ２２の切り欠き部４１に掛け止める。
【００３５】
その後、下第１外フラップ２１と同様に、下第２外フラップ２３の２つの切り起こし部４０を、下第１内フラップ２２、下第２内フラップ２４の切り欠き部４１にそれぞれ掛け止めて、下面を構成する。
【００３６】
そして、そのように切り起こし部４０を切り欠き部４１に掛け止めて仮固定し、下外フラップ２１・２３が開くことを防止して、手で下外フラップ２１・２３を押えることを不要として、組み立て時の作業性を向上しつつ、例えば突き合わせた両下外フラップ２１・２３の先端縁間にその先端縁間を被う粘着テープ４２を貼り付ける。
【００３７】
そして、そのような下面の上には、例えば複写機・ファクシミリ・プリンタ等の電子機器などの不図示の被包装品を載置する。
【００３８】
次に、下面と同様に上面を構成する。すなわち、折曲線Ｌ２位置で上内フラップ３２、３４を折り曲げてから、折曲線Ｌ２位置で上外フラップ３１、３３を折り曲げて図５に示すようにして後、上外フラップ３１、３３にそれぞれ形成した２つの切り起こし部４０を、上内フラップ３２、３４にそれぞれ形成した切り欠き部４１にそれぞれ掛け止めて、図６に示すようにする。
【００３９】
そして、そのように切り起こし部４０に切り欠き部４１を掛け止めて仮固定し、上外フラップ３１・３３が開くことを防止して、手で上外フラップ３１・３３を押えることを不要として、組み立て時の作業性を向上しつつ、例えば図７に示すように、突き合わせた両上外フラップ３１・３３の先端縁間にその先端縁間を被う粘着テープ４２を貼り付ける。
【００４０】
その貼り付け時、切り起こし部４０および切り欠き部４１を粘着テープ４２によって被うようにし、切り起こし部４０または切り欠き部４１により、外フラップ３１・３３などの先端縁にできる開口４３を粘着テープ４２によって被い、包装箱を得る。
【００４１】
このようにして、包装箱の中に被包装品を入れ、その被包装品を包装箱によって包装する。
【００４２】
よって、包装箱を１枚のシート材より形成するので、包装箱を構成する部品点数を１点として取り扱いを簡単とすることができるとともに、運搬や保管などを、場所を取らずに簡単とすることもできる。
【００４３】
なお、切り起こし部４０および切り欠き部４１により、両上外フラップ３１・３３の先端縁にできる図８に示す開口４３の幅Ｗ１を、１本の粘着テープ４２の幅Ｗ２よりも狭くすれば、１本の粘着テープによって開口４３を塞ぐことができるから、組み立て時の作業性をより一層向上することができる。
【図面の簡単な説明】
【００４４】
【図１】この発明による包装箱の展開図である。
【図２】その包装箱において、外フラップに形成する切り起こし部を、内フラップに形成する切り欠き部に掛け止めることを示す説明図である。
【図３】同様の図である。
【図４】図３における矢印Ａ方向から見た図である。
【図５】その包装箱の組み立ての途中を示し、上面の組み立ての説明図である。
【図６】その包装箱の組み立ての途中を示し、仮固定の状態を説明する斜視図である。
【図７】その包装箱に粘着テープを貼り付けるときの説明図である。
【図８】その包装箱の開口の幅と、１本の粘着テープの幅との関係の説明図である。
【図９】従来の包装箱の斜視図である。
【符号の説明】
【００４５】
２１    下第１外フラップ（外フラップ）
２２    下第１内フラップ（内フラップ）
２３    下第２外フラップ（外フラップ）
２４    下第２内フラップ（内フラップ）
３１    上第１外フラップ（外フラップ）
３２    上第１内フラップ（内フラップ）
３３    上第２外フラップ（外フラップ）
３４    上第２内フラップ（内フラップ）
４０    切り起こし部
４１    切り欠き部
４２    粘着テープ
【図１】
2005200082.tif 000003
【図２】
2005200082.tif 000004
【図３】
2005200082.tif 000005
【図４】
2005200082.tif 000006
【図５】
2005200082.tif 000007
【図６】
2005200082.tif 000008
【図７】
2005200082.tif 000009
【図８】
2005200082.tif 000010
【図９】
2005200082.tif 000011